(57)【要約】【課題】  血管を傷つけることなく血栓を迅速に除去できる極めて実用性に秀れた血栓除去用カテーテルを提供するものである。【解決手段】  血管１に挿入され、該血管１に堆積付着した血栓２を除去する血栓除去用カテーテルであって、血管１に挿入されるカテーテル本体３と、該カテーテル本体３を振動させる振動部４とから成り、この振動部４により振動しているカテーテル本体３を血栓２に当接させることにより血栓２が除去されるように構成されているものである。【選択図】    図１
2005095410.tif 000002
【特許請求の範囲】
【請求項１】
血管に挿入され、該血管に堆積付着した血栓を除去する血栓除去用カテーテルであって、血管に挿入されるカテーテル本体と、該カテーテル本体を振動させる振動部とから成り、この振動部により振動しているカテーテル本体を血栓に当接させることにより血栓が除去されるように構成されていることを特徴とする血栓除去用カテーテル。
【請求項２】
請求項１記載の血栓除去用カテーテルにおいて、振動部は、カテーテル本体の外部に露出せず、カテーテル本体の内部に設けられていることを特徴とする血栓除去用カテーテル。
【請求項３】
請求項１，２のいずれか１項に記載の血栓除去用カテーテルにおいて、振動部は偏心軸を有する偏心体であり、この振動部は、カテーテル本体の内壁と接触して該カテーテル本体を振動させるように構成されていることを特徴とする血栓除去用カテーテル。
【請求項４】
請求項１，２のいずれか１項に記載の血栓除去用カテーテルにおいて、振動部は超音波を発生させる超音波発生体であり、この超音波によりカテーテル本体を振動させるように構成されていることを特徴とする血栓除去用カテーテル。
【請求項５】
請求項１〜４のいずれか１項に記載の血栓除去用カテーテルにおいて、振動部はカテーテル本体の先端部を振動させるように構成されていることを特徴とする血栓除去用カテーテル。
【請求項６】
請求項１〜５のいずれか１項に記載の血栓除去用カテーテルにおいて、カテーテル本体は柔軟性を有する部材で形成されていることを特徴とする血栓除去用カテーテル。
【発明の詳細な説明】
【技術分野】
【０００１】
本発明は、血管に堆積付着した血栓を除去する血栓除去用カテーテルに関するものである。
【背景技術】
【０００２】
血管の特定部位に堆積付着する血栓は、卒中や動脈硬化等の原因となるため、早急に除去するのが望ましく、一般にはこの血栓は以下に示すような方法で除去される。
【０００３】
（１）  血栓を溶解したり、血栓の成長を阻止する血栓溶解剤を投与する方法。
【０００４】
この（１）の方法は、患者に負担をかける外科的な方法によらず、しかも、多くの場合血栓を分解若しくは溶解させることが可能である。しかし、現在用いられている多くの血栓溶解剤には副作用があり、また、血栓を完全に除去するのに時間がかかる、即ち、即効性に欠けるという問題があり、比較的余裕のある軽症の患者に用いることができるが、緊急に血管の流れを回復させる必要がある重症患者に用いることはできない。
【０００５】
（２）  血管を切開し、この切開部位から血管にカテーテルを挿入し、患部でバルーンを膨張させ、血栓を捕獲し、この捕獲した血栓を前記切開部位から摘出することでこの血栓を除去する方法。
【０００６】
この（２）の方法は、外科的にアクセス可能な部位においては有効であるが、特に治療が必要となる脳領域にはアクセスできないため、この脳領域の血管に形成された血栓を除去することはできない。
【０００７】
（３）  血栓除去用カテーテル、例えば、先端部に血栓を崩壊させる超音波プローブやレーザ若しくは切削体を有する血栓除去用カテーテル（特開平４−１８３４６１号公報（特許文献１）参照）を、血管に挿入して血栓が存する位置まで進め、前記超音波プローブ等の血栓除去手段により血栓を除去する方法。
【０００８】
この（３）の方法は、人体に過度の負担を強いずに血栓を除去することが可能な方法であるが、血栓を除去する際にエネルギーを必要とし、特に直接血栓にレーザや超音波を照射する場合には、血管表面を傷つけることは避けられないし、血栓を切削する場合には、血管表面と血栓との癒着部に引き剥がすような力が加わったり、切削体が血管に接触することで、この血管を傷つけてしまうおそれがあるため、脳領域の小血管を傷つけることなく除去することは困難である。
【０００９】
【特許文献１】特開平４−１８３４６１号公報
【発明の開示】
【発明が解決しようとする課題】
【００１０】
本発明は、上述のような現状に鑑み、血管を傷つけることなく血栓を迅速に除去できる極めて実用性に秀れた血栓除去用カテーテルを提供することを課題としている。
【課題を解決するための手段】
【００１１】
添付図面を参照して本発明の要旨を説明する。
【００１２】
血管１に挿入され、該血管１に堆積付着した血栓２を除去する血栓除去用カテーテルであって、血管１に挿入されるカテーテル本体３と、該カテーテル本体３を振動させる振動部４とから成り、この振動部４により振動しているカテーテル本体３を血栓２に当接させることにより血栓２が除去されるように構成されていることを特徴とする血栓除去用カテーテルに係るものである。
【００１３】
また、請求項１記載の血栓除去用カテーテルにおいて、振動部４は、カテーテル本体３の外部に露出せず、カテーテル本体３の内部に設けられていることを特徴とする血栓除去用カテーテルに係るものである。
【００１４】
また、請求項１，２のいずれか１項に記載の血栓除去用カテーテルにおいて、振動部４は偏心軸を有する偏心体５であり、この振動部４は、カテーテル本体３の内壁と接触して該カテーテル本体３を振動させるように構成されていることを特徴とする血栓除去用カテーテルに係るものである。
【００１５】
また、請求項１，２のいずれか１項に記載の血栓除去用カテーテルにおいて、振動部４は超音波を発生させる超音波発生体６であり、この超音波によりカテーテル本体３を振動させるように構成されていることを特徴とする血栓除去用カテーテルに係るものである。
【００１６】
また、請求項１〜４のいずれか１項に記載の血栓除去用カテーテルにおいて、振動部４はカテーテル本体３の先端部を振動させるように構成されていることを特徴とする血栓除去用カテーテルに係るものである。
【００１７】
また、請求項１〜５のいずれか１項に記載の血栓除去用カテーテルにおいて、カテーテル本体３は柔軟性を有する部材で形成されていることを特徴とする血栓除去用カテーテルに係るものである。
【発明の効果】
【００１８】
本発明は上述のように構成したから、血管を傷つけることなく血栓を迅速に除去できる極めて実用性に秀れた血栓除去用カテーテルとなる。
【発明を実施するための最良の形態】
【００１９】
好適と考える本発明の実施の形態を、図面に基づいてその作用効果を示して簡単に説明する。
【００２０】
血管１にカテーテル本体３を挿入して血栓２が形成された部位まで移動させ、振動部４により振動するカテーテル本体３を血栓２に当接させ、この振動により血栓２を除去する。即ち、血栓２の表面にカテーテル本体３を当接させ、この振動により血栓２を表面部分から徐々に崩壊させて除去する。
【００２１】
特に、血栓２への振動は表面から内部へ伝わり、血栓２の表面からの崩壊が良好に行われる。よって、血栓２を除去する際に血管１と血栓２との癒着部に力が加わらず、従って、血管１への負担がなく、血管１の損傷を確実に阻止できる。
【００２２】
以上、本発明は、血栓にカテーテル本体を単に当接するだけで血管を傷つけることなく血栓を迅速に除去できる極めて実用性に秀れた血栓除去用カテーテルとなる。
【実施例】
【００２３】
本発明の具体的な実施例について図面に基づいて説明する。
【００２４】
本実施例は、血管１に挿入され、該血管１に堆積付着した血栓２を除去する血栓除去用カテーテルであって、血管１に挿入されるカテーテル本体３と、該カテーテル本体３を振動させる振動部４とから成り、この振動部４により振動しているカテーテル本体３を血栓２に当接させることにより血栓２が除去されるように構成されているものである。
【００２５】
カテーテル本体３は柔軟性を有する部材で形成された既存のものが採用されている。このカテーテル本体３は、その先端が組織を傷つけたり、引っ掛かったりしないように丸みを帯びた形状に設定されている。
【００２６】
カテーテル本体３の内側には、シリコンゴム等から成るＯリングを支持部材７として中空のワイヤ８が支持されている。このワイヤ８としてはステンレス等の耐食性を有する材料から成るものを採用するのが望ましい。
【００２７】
この中空のワイヤ８を通じてカテーテル本体３の外部に露出しないように、カテーテル本体３の内部にワイヤ状の振動部４が配設される。従って、この振動部４が血管１に直接接触して該血管１を傷つけることは確実に阻止される。
【００２８】
また、この振動部４の基端側一端部には、該振動部４を駆動する駆動部９が設けられる。
【００２９】
更に、振動部４はカテーテル本体３の先端部を振動させるように構成されている。従って、不要な部分が振動せず、カテーテル本体３の移動が容易となるだけでなく、効率良くカテーテル本体３を振動させることができる。
【００３０】
具体的には、振動部４は図１に図示したような、偏心軸を有するステンレス製の偏心体５（ステンレス製の線材の屈曲させて形成される該先端部）であり、この偏心体５は、カテーテル本体３の内壁と接触して該カテーテル本体３の先端部を振動させるように構成され、この偏心体５の基端側一端部には、この偏心体５を回転駆動させる駆動部９としてのモータが設けられている。
【００３１】
尚、この偏心体５に限らず直接的にカテーテル本体３を振動させる他の構成を採用しても良い。また、偏心体５としては、ステンレス以外の耐食性を有する材料等、他の材料から成るものを採用しても良い。
【００３２】
また、振動部４として、図２に図示したように、直接的に振動させる構成でなく間接的にカテーテル本体３を振動させる構成を採用しても良く、例えば、超音波を発生させる超音波発生体６とこの超音波発生体６を駆動する超音波発生機10を設け、この超音波によりカテーテル本体３を間接的に振動させるものを採用しても良い。この場合、超音波発生体６から、１５０００〜３００００Ｈｚ程度の超音波が発生するように構成すると良い。
【００３３】
次に、本実施例の使用方法について説明する。
【００３４】
血管１に堆積付着した血栓２の位置をＸ線撮影や超音波診断等により特定し、この血栓２が存する部位までカテーテル本体３を挿入する。
【００３５】
血栓２の近傍までカテーテル本体３を挿入したら、駆動部９により振動部４を駆動し、カテーテル本体３を振動させる（若しくは、血栓２が存する部位までカテーテル本体３を挿入した後、駆動部により振動部４を駆動し、カテーテル本体３を振動させる。）。
【００３６】
次に、振動するカテーテル本体３を血栓２に当接させる。この際、切削体等により切削するように血栓２内部までこの押し込む必要はなく、カテーテル本体３を血栓２の表面に軽く当接させるだけで、表面から内部に振動が伝達され、この振動により血栓２の表面組織は良好に崩壊されていく。
【００３７】
この血栓２の崩壊に伴いカテーテル本体３を前後に微動させながらこの血栓２全体を除去する。
【００３８】
尚、超音波発生体６を振動部４に設定した場合も同様である。
【００３９】
本実施例は上述のように構成したから、血管１にカテーテル本体３を挿入して血栓２が形成された部位まで移動させ、振動部４により振動するカテーテル本体３を血栓２に当接させ、この振動により血栓２を除去する。即ち、血栓２の表面にカテーテル本体３を当接させ、この振動により血栓２を表面部分から徐々に崩壊させて除去する。
【００４０】
特に、血栓２への振動は表面から内部へ伝わり、血栓２の表面からの崩壊が良好に行われる。よって、血栓２を除去する際に血管１と血栓２との癒着部に力が加わらず、従って、血管１への負担がなく、血管１の損傷を確実に阻止できる。
【００４１】
また、カテーテル本体３は、柔軟性を有する部材で構成され、その先端が組織を傷つけたり、引っ掛かったりしないように丸みを帯びた形状であるから、この先端部が血管１を傷つけたりすることが確実に防止される。
【００４２】
更に、振動部４は、カテーテル本体３の外部に露出しないように設けられているから、この振動部４が直接血管１と接触することがなく、この点からも血管が傷つくことが確実に防止される。
【００４３】
加えて、振動部４はカテーテル本体３の先端部を振動させるように構成されているから、不要な部分が振動せず、カテーテル本体３の移動が容易となるだけでなく、効率良くカテーテル本体３を振動させることができる。
【００４４】
よって、本実施例は、血栓にカテーテル本体を単に当接するだけで血管を傷つけることなく血栓を迅速に除去できる極めて実用性に秀れた血栓除去用カテーテルとなる。
【図面の簡単な説明】
【００４５】
【図１】本実施例の概略説明断面図である。
【図２】本実施例の概略説明断面図である。
【符号の説明】
【００４６】
１  血管
２  血栓
３  カテーテル本体
４  振動部
５  偏心体
６  超音波発生体
【図１】
2005095410.tif 000003
【図２】
2005095410.tif 000004